(57)【要約】【要約書】【課題】  本発明が解決しようとする問題点は、水溜まり部に落下した尿糞等によって生じる水滴の跳ね返りがあるため、便器の周囲や便器廻りの床を汚す等の問題と共に、従来発明である大小大きさが異なる浮体が、誤って排泄物と一緒に下水管まで流しこんでしまう問題を解決することを目的とする。【解決手段】  本発明は上記の課題を解決するために、便器本体内部の開口部を構成する乾き面と傾斜面に複数の突起を設け、前記突起上に浮体を設けたこと特徴とする尿、糞等の飛散防止便器を提供することを目的とする。【選択図】  図２
2006016821.tif 000002
【特許請求の範囲】
【請求項１】
便器本体内部の開口部を構成する乾き面と傾斜面に複数の突起を設け、前記突起上に浮体を設けたこと特徴とする尿、糞等の飛散防止便器。
【請求項２】
便器本体内部の開口部を構成する前記乾き面と傾斜面のそれぞれに切欠溝を設け、前記切欠溝に軸通しした浮体を設けたことを特徴とする尿、糞等の飛散防止便器。
【発明の詳細な説明】
【技術分野】
【０００１】
本発明は、水洗便器において水溜まり部に落下した尿糞等によって生じる水滴の跳ね返りを簡単に防止する改良発明である。
【背景技術】
【０００２】
従来の洋式便器で男性が放尿をする場合は、便座をあげて便器前に立ち、便器内部の水溜まり部に向かって放尿をしていたが、水溜まり部に落下した尿糞等によって生じる水滴の跳ね返りがあるため、便器の周囲や便器廻りの床を汚す等の問題を生じていた。
【０００３】
また従来は、特願平７−１６５２３１号公報に示した「水洗便器の水滴跳ね上がり防止方法とそれに用いる浮体および水洗便器」なる発明がある。具体的には、浮体を水洗便器の水溜まりの水面に展開浮遊させることにより、水滴の跳ね上がりを防止することを特徴とする水洗便器の水滴跳ね上がり防止方法であった。
【０００４】
従来の発明である「水洗便器の水滴跳ね上がり防止方法とそれに用いる浮体および水洗便器」は、大小大きさが異なる浮体を水洗便器の底部にある水溜まりの水面に展開浮遊させていたため、誤って尿糞等の排泄物と一緒に流しこんでしまい下水管等の詰まりの原因となる恐れがあった。
【特許文献１】特願平７−１６５２３１号
【発明の開示】
【発明が解決しようとする課題】
【０００５】
解決しようとする問題点は、水溜まり部に落下した尿糞等によって生じる水滴の跳ね返りがあるため、便器の周囲や便器廻りの床を汚す等の問題と共に、従来発明である大小大きさが異なる浮体を誤って尿糞等の排泄物と一緒に下水管まで流しこんでしまう問題を解決することを目的とする。
【課題を解決するための手段】
【０００６】
本発明は、上記の課題を解決するために、便器本体１ａ内部の水溜まり部１ｃの水面下で開口部Ｓを構成する湾曲した乾き面１ｄと傾斜面１ｅに、互いに内向するように複数の突起３を設け、突起３上部に球状の浮体２を設けたこと特徴とする尿、糞等の飛散防止便器の構成とした。
【発明の効果】
【０００７】
第１に本発明である尿、糞等の飛散防止便器は、水溜まり部の水面下に浮体を設けることが容易にできるため、水溜まり部に落下した尿糞等によって生じる水滴の跳ね返りを簡単に防止し、前記水滴によって便器まわりに生じていた床等の汚れ等の問題なくすことができる。
【０００８】
第２に尿、糞等の飛散防止便器は、構成する浮体、軸付き浮体、突起３、軸等を簡単に水溜まり部に設けることができるため、取付及びメンテナンスも容易に行うことができる。
【発明を実施するための最良の形態】
【０００９】
便器本体１ａの内部の水溜まり部１ｃにある湾曲した乾き面１ｄと傾斜面１ｅに互いに内向するように複数の突起３を設け、前記突起３上部に開口部Ｓの形状に併せて浮体２を前記突起３の上部に設けたことを特徴とする尿、糞等の飛散防止便器の構成とした。
【実施例１】
【００１０】
以下、添付図面に基づいて本発明である尿、糞等の飛散防止便器１の詳細を説明する。
図１は本発明である尿、糞等の飛散防止便器の斜視図、図２は本発明である尿、糞等の飛散防止便器の左側面の縦断面図、図３は本発明である尿、糞等の飛散防止便器の平面図、図４は本発明である尿、糞等の飛散防止便器のＡ−Ａ縦断面図、図５は本発明である尿、糞等の飛散防止便器の左側面の縦断面図である。
【００１１】
図１及び図２に示したように本発明である尿、糞等の飛散防止便器１は、
便器本体１ａ内部の水溜まり部１ｃの水面下で開口部Ｓを構成する湾曲した乾き面１ｄと傾斜面１ｅに対し、互いに内向するように複数の突起３を設け、前記突起３上部に球状の浮体２を設けたこと特徴とする尿、糞等の飛散防止便器の構成とした。
【００１２】
また便器本体１ａは、縁となる楕円状のリム１ｂの上面に対し、取付ねじ４ｂ、５ａによって開閉可能な便座４及び便座蓋５を設けており、前記便座蓋５の背面には、便器本体１ａの内部に水７を流すための貯水タンク６を備えている。なお、便座４にはリム１ｂと密着する突起４ａが設けられており、その他、便座４の上部を構成する便座蓋５、貯水タンク６は市販品であるため詳細な説明は省略する。
【００１３】
図２に示したように便器本体１ａの内部は、湾曲した乾き面１ｄと傾斜した傾斜面１ｅに囲まれた略Ｕ字状の水溜まり部１ｃに、互いに対向するように複数である４本の突起３を設け、前記突起３の上部中央の位置に対し載置するように浮体２を配置した。また前記傾斜面１ｅの背面には、山なりになった尿糞等の汚水を流す管路８、そして管路８から垂下した金属等のパイプからなる下水管９を設けている。
【００１４】
浮体２は、材質がエポキシ樹脂等の弾性体を発泡させてなる発泡性のゴムや、合成樹脂である水に浮くポリエチレン（高密度、低密度、発泡問わず）、ポリプロピレン、ポリスチレンのいずれか、又は前記ポリエチレン、ポリプロピレン、ポリスチレンの２種類以上の混合物からなるプラスチック樹脂等からなり、主たる形状は球体とする。
【００１５】
浮体２の形状は球状の浮体２のみならず、楕円や三角錐等のように多角形体等のように自由に変更することができる。なお、浮体２の表面は、尿石、水アカ、カビ等を防止するために、除菌、抗菌加工を施すことができる。
【００１６】
本発明で使用する球状の浮体２の大きさは、水溜まり部１ｃの大きさに合わせて自由に変更してもよく、直径が２ｃｍから８ｃｍの範囲とする。なお多角形の場合、長手方向の長さは前記球状の浮体２と同一の８ｃｍ前後とし、短手方方向の長さは浮体２の長手方向の長さより短く設定すればよい。
【００１７】
浮体２は水面上に対し、完全に浮上するのではなく、水面近くの水中に浮遊するようにするため、水の比重と同一とほぼ同一とする。尚浮体２の内部の壁面の厚さを０．１ｍｍから３．０ｍｍの範囲で設定する。
【００１８】
浮体２は、高機能、高活性な水質浄化触媒などを使用してもよく、多孔質ガラス中へアナターゼ型酸化チタンを内包・分散させた触媒等がある。前記触媒の具体的な製法として、珪酸ナトリウムとガラス粉末、発砲剤としての炭酸水素ナトリウム、そして触媒としてアナターゼ型酸化チタン等を配合し、その溶液を２００℃１時間真空乾燥器中で加熱することでガラス触媒を製造し、その後に２００℃２時間の再加熱処理により、水に対し難溶性でかつ、水面に浮遊可能なものとする。
【００１９】
突起３は、片側に接着面（図示せず）を設け、一方に浮体を固定するための突起を設けた着脱容易な略３角形状の突起であり、水溜まり部１ｃ内部で前記浮体２を載置できればよい。
【００２０】
突起３の材質は、水溜まり部１ｃ内部で使用するためその衛生面を考慮し、便器本体と同一の陶器若しくはステンレス、プラスチック等の金属で設ける。突起３の形状は先端が爪状になっており、いかなる形状の浮体２でも載置することができる。次に図３では突起３の取付位置について詳細を説明する。
【００２１】
図３に示したように突起３を便器本体１ａの内部を構成する乾き面１ｄ又は傾斜面１ｅ設ける場合には、開口部Ｓの位置に対して円、四角又は放射状を描くように等間隔に設ければよい。等間隔に複数の突起３を設けることで、開口部Ｓは、浮体２と突起３との間に隙間を発生する仕組みである。
【００２２】
突起３を乾き面１ｄ又は傾斜面１ｅに接着する接着剤（図示せず）は、主剤、硬化剤の２つに分かれた物、１つの物いずれをも問わず水中で硬化するタイプの接着剤を使用する。具体的には市販品であるシリコーン、エポキシ樹脂、ポリチオール等が成分として含まれていればよい。
【００２３】
なお、図４に示したのは、本発明である尿、糞等の飛散防止便器のＡ−Ａ縦断面図、図５は本発明である尿、糞等の飛散防止便器の左側面の縦断面図である。図４に示したように通常、浮体２は、水溜まり部１ｃの水面下にある状態で、放尿糞等がなされることで水溜まり部１ｃの容積が増える。
【００２４】
そして図５に示したように水溜まり部１ｃの容積が増大すると浮体２が回転しながら浮き上がり、前記浮体２と突起３との間に出来た隙間３ａから、下水管９に流れ込む。また前記突起３は、浮体２のストッパーの役割を担っているため、下水管９に流れ込むこともなく、下水管９等の詰まりの原因とならない。次に本発明である尿、糞等の飛散防止便器１の第２実施例について詳細を説明する。
【００２５】
図６は本発明である尿、糞等の飛散防止便器の第２実施例の左側面の縦断面図、図７は本発明である尿、糞等の飛散防止便器の第２実施例のＢ−Ｂ縦断面図、図８は本発明である尿、糞等の飛散防止便器の第２実施例であるＢ−Ｂ縦断面の拡大図である。
【００２６】
図６から図８に示した尿、糞等の飛散防止便器１ｆは、前記図１から図５までに示した尿、糞等の飛散防止便器１の第２実施例である。尿、糞等の飛散防止便器１ｆは、便器本体１ａ内部の水溜まり部１ｃの水面下で開口部Ｓを構成する湾曲した乾き面１ｄと傾斜面１ｅのそれぞれに対し、複数の切欠溝１ｇを設け、前記切欠溝１ｇの水平方向に対し軸３ｂ通した浮体２ａを設けたことを特徴とする尿、糞等の飛散防止便器の構成とした。
【００２７】
なお、尿、糞等の飛散防止便器１ｆを構成する便器本体１ａは、縁となるリム１ｂの上面に対し取付ねじ４ｂ、５ａによって開閉可能な便座４及び便座蓋５を設けており、前記便座蓋５の背面には、便器本体１ａの内部に水を流すための貯水タンク６を備えている
【００２８】
第１実施例である浮体２との相違点は、浮体２の中心から水平方向に対し、円柱状の軸３ｂを通し、前記軸３ｂを中心に回動可能とした軸３ｂ付きの浮体２ａであることを特徴とする。従来、複数の突起３を乾き面１ｄ、傾斜面１ｅのそれぞれに設けなければならなかった手間を簡略することができる。
【００２９】
また、軸３ｂを軸通しした浮体２ａは、浮体２ａそのものが回動可能であるため、水溜まり部１ｃに落下した尿糞等によって生じる水滴の跳ね返りを、前記回動する軸３ｂ付きの浮体２ａによって回転吸収できるため、第１実施例より更に便器まわりに生じていた床等の汚れ等の問題なくすことができる。
【００３０】
なお、浮体２ａの加工方法及び便器本体１ａの取付方法は、浮体２の中心若しくは重心となる中心の位置に対し、キリや電気ドリル等で貫通孔３ｃを開け、次にステンレス等の軸３ｂを前記貫通孔３ｃに挿通する。この時、貫通孔３ｃの大きさは、前記軸３ｂより一回り大きくし、貫通孔３ｃと軸３ｂとの間に空隙ができるようにする。
【００３１】
そして挿通した浮体２ａを一旦床等に置いた後、便器本体１ａの水溜まり部１ｃから水を抜き、乾き面１ｄと傾斜面１ｅのそれぞれの面に対し前記軸３ｂを掛けるための切欠溝１ｇを設ける。前記貫通孔３ｃは、隙間を設けるよう軸３ｂより一回り大きく設け、前記軸３ｂの直径は、０．１ｍｍから８．０ｍｍの範囲内とする。
【００３２】
便器本体１ａの内部に設けた切欠溝１ｇは、便器本体１ａの材料である陶器等を加工できる治具であればよく、電動ドリル、電動ヤスリ等のように市販品の治具を使用することができる。
【００３３】
図８及び図９に示したように、切欠溝１ｇは、縦断面が略凹状になるように形成すればよく、切削による切欠溝１ｇを設けるのみならず、プラスチック等の材料を加工した軸受け（図示せず）を１組製作し、前記軸受けに抗菌コート材等を塗布し使用することができる。
具体的には、酸化チタンなどのように汚れや水アカ等が付着しないコート材を使用する。
【００３４】
前述したように本発明である尿、糞等の飛散防止便器１、１ａは、前記浮体２、２ａ、突起３、軸３ｂ、切欠溝１ｇをそれぞれ設けることで、簡単に尿の飛散を防止することができる水洗便器を提供することができる。
【００３５】
なお、本発明で使用する水洗便器は、従来から備えれている洗浄方式を問わず設けることができ、具体的には、ダイレクトバルブ式、サイホンゼット式、ネオボルテックス式、洗落し式等のようにすべての水洗便器の洗浄方式に適用することができる。
【図面の簡単な説明】
【００３６】
【図１】本発明である尿、糞等の飛散防止便器の斜視図である。
【図２】本発明である尿、糞等の飛散防止便器の左側面の縦断面図である。
【図３】本発明である尿、糞等の飛散防止便器の平面図である。
【図４】本発明である尿、糞等の飛散防止便器のＡ−Ａ縦断面図である。
【図５】本発明である尿、糞等の飛散防止便器の左側面の縦断面図である。
【図６】本発明である尿、糞等の飛散防止便器の第２実施例の左側面の縦断面図である。
【図７】本発明である尿、糞等の飛散防止便器の第２実施例のＢ−Ｂ縦断面図である。
【図８】本発明である尿、糞等の飛散防止便器の第２実施例であるＢ−Ｂ縦断面の拡大図である。
【符号の説明】
【００３７】
１      尿、糞等の飛散防止便器
１ａ    便器本体
１ｂ    リム
１ｃ    水溜まり部
１ｄ    乾き面
１ｅ    傾斜面
１ｆ    尿、糞等の飛散防止便器
１ｇ    切欠溝
２      浮体
２ａ    浮体
３      突起
３ａ    隙間
３ｂ    軸
３ｃ    貫通孔
４      便座
４ａ    突起
４ｂ    取付ねじ
５      便座蓋
５ａ    取付ねじ
６      貯水タンク
７      水
８      管路
９      下水管
Ｓ      開口部
【図１】
2006016821.tif 000003
【図２】
2006016821.tif 000004
【図３】
2006016821.tif 000005
【図４】
2006016821.tif 000006
【図５】
2006016821.tif 000007
【図６】
2006016821.tif 000008
【図７】
2006016821.tif 000009
【図８】
2006016821.tif 000010